(57)【要約】【課題】高品質の２Ｄ映像および３Ｄ映像を提供し、体積を縮小させる撮影録画機能を有する電子装置を提供する。【解決手段】本体１２，カバー１４、回転軸１６、第１の映像取得モジュールおよび第２の映像取得モジュールを含む。カバー１４は、回転軸１６の本体１２に連接している側の反対側に連接し、少なくとも一つの軸方向に自由に揺動する。回転軸１６は、一方が本体１２に連接している。第１の映像取得モジュールは、本体１２上に設けられ、ズームレンズ１１２および第１の映像センサーユニットを有する。第２の映像取得モジュールは、カバー１４上に設けられ、３Ｄ撮影ユニットおよび少なくとも一つの第２の映像センサーユニットを有する。【選択図】図２
0003169327.tif 000002
【実用新案登録請求の範囲】
【請求項１】
本体と、
一方が前記本体に連接している回転軸と、
前記回転軸の前記本体に連接している側の反対側に連接し、少なくとも一つの軸方向に自由に揺動するカバーと、
前記本体上に設けられ、ズームレンズおよび第１の映像センサーユニットを有する第１の映像取得モジュールと、
前記カバー上に設けられ、３Ｄ撮影ユニットおよび少なくとも一つの第２の映像センサーユニットを有する第２の映像取得モジュールと、を含むことを特徴とする撮影録画機能を有する携帯型電子装置。
【請求項２】
前記３Ｄ撮影ユニットは、二つの単焦点レンズを有し、前記二つの単焦点レンズ間の配置距離が２〜７ｃｍであることを特徴とする請求項１に記載の撮影録画機能を有する携帯型電子装置。
【請求項３】
前記二つの単焦点レンズは、０〜５度の傾角を有することを特徴とする請求項２に記載の撮影録画機能を有する携帯型電子装置。
【請求項４】
前記傾角は、２〜５度であることを特徴とする請求項３に記載の撮影録画機能を有する携帯型電子装置。
【請求項５】
前記カバー上に設けられ、前記二つの単焦点レンズと同一側に位置するディスプレイユニットを、さらに含むことを特徴とする請求項１に記載の撮影録画機能を有する携帯型電子装置。
【請求項６】
前記カバー上に設けられ、前記二つの単焦点レンズの反対側に位置するディスプレイユニットを、さらに含むことを特徴とする請求項１に記載の撮影録画機能を有する携帯型電子装置。
【請求項７】
前記本体上に設けられ、前記第１の映像取得モジュールおよび前記第２の映像取得モジュールに電気的に接続し、前記第１の映像センサーユニットが伝達する第１の映像信号および前記第２の映像センサーユニットが伝達する第２の映像信号を受信する制御ユニットと、
前記制御ユニットに電気的に接続し、第１のデジタル映像信号および第２のデジタル映像信号を保存する保存ユニットと、  
前記制御ユニットに電気的に接続し、撮影録画機能を有する携帯型電子装置の操作および制御を行なう操作インターフェイスと、をさらに含むことを特徴とする請求項１に記載の撮影録画機能を有する携帯型電子装置。
【請求項８】
前記保存ユニットは、内部記憶体または差し込み可能なメモリーカードであることを特徴とする請求項７に記載の撮影録画機能を有する携帯型電子装置。
【請求項９】
前記操作インターフェイスは、タッチコントロールパネルのコントロールアイコンか、前記本体または前記カバーに設けられた複数のボタンであることを特徴とする請求項７に記載の撮影録画機能を有する携帯型電子装置。
【請求項１０】
前記制御ユニットに電気的に接続し、外部の音声を取得して音声信号に変換し、音声信号は前記制御ユニットを介して前記保存ユニットに保存する集音ユニットと、
前記制御ユニットに電気的に接続し、音声信号を音声に変換させて外部に流すスピーカーユニットを、さらに含むことを特徴とする請求項７に記載の撮影録画機能を有する携帯型電子装置。
【請求項１１】
前記制御ユニットに電気的に接続し、外部の電子装置に接続して画像資料または音声資料の伝達を行なう伝達ユニットを、さらに含むことを特徴とする請求項７に記載の撮影録画機能を有する携帯型電子装置。
【請求項１２】
前記伝達ユニットは、デジタルデータ伝達ポート、映像出力端子または画像伝達端子であることを特徴とする請求項１１に記載の撮影録画機能を有する携帯型電子装置。
【請求項１３】
前記伝達ユニットは、Ｗｉ-Ｆｉ伝達インターフェイス、ブルートゥース伝達インターフェイスまたはその他の無線伝達インターフェイスであることを特徴とする請求項１１に記載の撮影録画機能を有する携帯型電子装置。
【請求項１４】
前記制御ユニットに電気的に接続し、前記カバーが前記本体に対する角度を検出する軸方向検出ユニットを、さらに含むことを特徴とする請求項７に記載の撮影録画機能を有する携帯型電子装置。
【考案の詳細な説明】
【技術分野】
【０００１】
本考案は、映像撮影録画装置に関し、特に、高品質の２Ｄ映像および３Ｄ映像を提供する撮影録画機能を有する電子装置に関する。
【背景技術】
【０００２】
１８５０年にカメラが発明され、当初のモノクロ画像から革命的なカラー画像に技術が進歩し、カラー画像が世界中に広く普及したが、次の段階は、立体カラー画像および立体写真である。３Ｄ画像は、平面画像の極限を完全に越え、迫真の３Ｄ世界を再現した。これは、長年求められていた夢のような技術である。
【０００３】
立体的な視角が発生するのは、両眼視差効果によるものである。被写体が両眼に入り、網膜上で像を結ぶことである。両眼の間に一定の距離があるため、両眼に形成される像は基本的に同一ながら、視差が存在する。大脳により調整されると、立体的な画像が形成される。立体撮影録画装置は、両眼の視差を利用したものである。
【０００４】
以下、従来技術を図面に基づいて説明する。図１を参照する。図１は、従来の立体撮影録画レンズを有する携帯型電子装置を示す斜視図である。撮影録画した画像が立体的であるためには二つのレンズを用いた撮影録画装置が必要である。図１に示すように、立体撮影録画レンズを有する携帯型電子装置５０は、本体５２およびカバー５４を有する。カバー５４は、回転軸により本体５２に連接し、本体５２は、二つの５３を設けている。カバー５４は、レンズ５３が撮影した画像を表示するディスプレイユニット５５を有する。回転軸は、カバー５４を本体５２に対して、少なくとも一つの軸方向に対しての揺動運動を自由に行なわせる。
【０００５】
立体映像撮影装置の結像効果は、二つのレンズ５３間の距離により決定する。そのため、結像効果を向上させるため、レンズ５３間には所定の距離が設けられなければならない。しかし、所定の距離が設けられると、本体５２の体積を効果的に縮小させることができない。
【０００６】
立体撮影録画レンズを有する携帯型電子装置の体積を減らすため、ガン型の立体撮影録画装置の開発にしのぎが削られている。上記の装置と異なり、ガン型の立体撮影録画装置は、体積が小さく、携帯に便利であるという長所を有する。しかし、小体積が二つのレンズ間の距離を制限してしまい、遠距離撮影に効果を発揮できず、近距離撮影にしか用いることができない。
【０００７】
ユーザーのニーズに応えて、２Ｄおよび３Ｄの撮影録画装置が市販されているが、２Ｄおよび３Ｄのレンズが、本体と同一側または異なる側に設けられた場合、本体の体積は二つのレンズの配置に限定され、効果的に縮小することができない。
【０００８】
本体の体積を増加させないことを優先した場合、２Ｄは、３Ｄとレンズを共用する必要がある。２Ｄ撮影の場合は、二つのレンズのうち一つを用いて、３Ｄ撮影の場合は、両方のレンズを同時に用いる。しかし、撮影した２Ｄ画像は、３Ｄ画像撮影規格に限定され、高画質の結像効果が期待できない。そのため、限られた体積において、撮影録画機能を有する電子装置が２Ｄ画像および３Ｄ画像の撮影機能を同時に有し、２Ｄ画像が高画質である映像撮影録画装置が求められていた。
【先行技術文献】
【特許文献】
【０００９】
【特許文献１】特開平７−２６４６３３
【考案の概要】
【考案が解決しようとする課題】
【００１０】
本考案の目的は、高品質の２Ｄ映像および３Ｄ映像を提供し、体積を縮小させる撮影録画機能を有する電子装置を提供することにある。
【００１１】
上述の目的を達成するため、本考案は、撮影録画機能を有する携帯型電子装置を提供する。本考案の撮影録画機能を有する携帯型電子装置は、本体１２，カバー１４、回転軸１６、第１の映像取得モジュール１１０および第２の映像取得モジュール１２０を含む。カバー１４は、回転軸１６の本体１２に連接している側の反対側に連接し、少なくとも一つの軸方向に自由に揺動する。回転軸１６は、一方が本体１２に連接している。第１の映像取得モジュール１１０は、本体１２上に設けられ、ズームレンズ１１２および第１の映像センサーユニット１１４を有する。第２の映像取得モジュール１２０は、カバー１４上に設けられ、３Ｄ撮影ユニット１２２および少なくとも一つの第２の映像センサーユニット１２４を有する。
【考案の効果】
【００１２】
本考案の撮影録画機能を有する携帯型電子装置は、２Ｄ撮影に用いられる第１の映像取得モジュールおよび３Ｄ撮影に用いられる第２の映像センサーユニットを同時に搭載し、第１の映像取得モジュールがズームレンズにより高画質の映像を提供することができる。また、第２の映像センサーユニットがカバー上に配置されることにより体積を縮小させることができる。
【図面の簡単な説明】
【００１３】
【図１】従来の立体撮影録画レンズを有する携帯型電子装置を示す斜視図である。
【図２】本考案の第１の実施形態による撮影録画機能を有する携帯型電子装置を示す斜視図である。
【図３】本考案の第１の実施形態による撮影録画機能を有する携帯型電子装置をフローチャートの図である。
【図４】本考案の第２の実施形態による撮影録画機能を有する携帯型電子装置を示す斜視図である。
【図５】本考案の第３の実施形態による撮影録画機能を有する携帯型電子装置を示す斜視図である。
【図６】本考案の第４の実施形態による撮影録画機能を有する携帯型電子装置を示す斜視図である。
【考案を実施するための形態】
【００１４】
以下、本考案の実施形態を図面に基づいて説明する。
【００１５】
図２〜４を参照する。図２は、本考案の第１の実施形態による撮影録画機能を有する携帯型電子装置を示す斜視図である。図３は、本考案の第１の実施形態による撮影録画機能を有する携帯型電子装置を示すフローチャートの図である。図４は、本考案の第２の実施形態による撮影録画機能を有する携帯型電子装置を示す斜視図である。図２〜４に示すように、本考案の撮影録画機能を有する携帯型電子装置１０は、デジタルビデオカムコーダー、携帯電話またはデジタルカメラである。撮影録画機能を有する携帯型電子装置１０は、本体１２，カバー１４および回転軸１６を含む。
【００１６】
本体１２およびカバー１４は、回転軸１６の両側にそれぞれ連接されていることにより、カバー１４が本体１２に対して軸方向に自由に揺動することができる。これにより、カバー１４は、本体１２の対して開き、角度を形成したり、本体１２に接触したりすることができる。
【００１７】
本体１２は、ズームレンズ１１２および第１の映像センサーユニット１１４を有する第１の映像取得モジュール１１０を設けている。ズームレンズ１１２は、電気的に第１の映像センサーユニット１１４に接続している。ズームレンズ１１２は、被写体に対して２Ｄ撮影を行うと、第１の映像センサーユニット１１４がズームレンズ１１２の撮影した２Ｄ画像を第１のデジタル映像信号に転換する。第１の映像センサーユニット１１４は、ＣＣＤイメージセンサ、ＣＯＭＳイメージセンサまたはその他の光電転換特性を有するデバイスでもよい。
【００１８】
カバー１４は、第２の映像取得モジュール１２０およびディスプレイユニット１３０を設けている。第２の映像取得モジュール１２０は、３Ｄ撮影ユニット１２２および少なくとも一つの第２の映像センサーユニット１２４を含む。３Ｄ撮影ユニット１２２は、二つの単焦点レンズ１２３を含む。隣接する二つの単焦点レンズ１２３は、２〜７ｃｍの配置距離Ｄを有し、同時にそれぞれ０〜５度の傾角を有する。２〜５度の傾角が好適である。本実施形態において、二つの単焦点レンズ１２３は、第２の映像センサーユニット１２４にそれぞれ電気的に第１の映像センサーユニット１１４に接続している。第２の映像取得モジュール１２０は、第２の映像センサーユニット１２４を同時に有することにより、３Ｄ画像の画質を向上させる。二つの単焦点レンズ１２３は、被写体に対して３Ｄ撮影を行うと、第２の映像センサーユニット１２４が単焦点レンズ１２３の撮影した３Ｄ画像を第２のデジタル映像信号に転換する。第２の映像センサーユニット１２４は、ＣＣＤイメージセンサ、ＣＯＭＳイメージセンサまたはその他の光電転換特性を有するデバイスでもよい。
【００１９】
ディスプレイユニット１３０は、第１の映像取得モジュール１１０および第２の映像取得モジュール１２０が撮影した画像を表示するのに用いられる。本実施形態において、ディスプレイユニット１３０は、タッチスクリーンである。また、ディスプレイユニット１３０は、第２の映像取得モジュール１２０とともにカバー１４の反対側、または同一側（図４参照）に位置してもよい。
【００２０】
図３に示すように、本考案の撮影録画機能を有する携帯型電子装置１０は、制御ユニット１４０、保存ユニット１５０、操作インターフェイス１６０、集音ユニット１７０、スピーカーユニット１８０および伝達ユニット１９０をさらに含む。
【００２１】
制御ユニット１４０は、本体１２上に設けられ、第１の映像取得モジュール１１０および第２の映像取得モジュール１２０に電気的に接続している。これにより、第１の映像センサーユニット１１４が伝達する第１の映像信号および第２の映像センサーユニット１２４が伝達する第２の映像信号を受信する。
【００２２】
保存ユニット１５０は、本体１２上に設けられ、制御ユニット１４０に電気的に接続している。保存ユニット１５０は、内部記憶体または差し込み可能なメモリーカードで、第１のデジタル映像信号および第２のデジタル映像信号を保存する。
【００２３】
操作インターフェイス１６０は、タッチコントロール機能を有するディスプレイユニット１３０が表示するアイコンなどである。ディスプレイユニット１３０上のアイコンが押されると、撮影録画機能を有する携帯型電子装置１０の操作指令が設定される。また、操作インターフェイス１６０は、複数のボタン１６２でもよい。ボタン１６２は、本体１２またはカバー１４に設けられ、制御ユニット１４０に電気的に接続している。ボタン１６２が押されると、撮影録画機能を有する携帯型電子装置１０の操作指令が設定される。なお、操作インターフェイス１６０は、操作の利便性のため、ディスプレイユニット１３０上に表示されるアイコンおよびボタン１６２を同時に有してもよい。
【００２４】
集音ユニット１７０は、制御ユニット１４０に電気的に接続し、外部の音声を取得して音声信号に変換する。集音ユニット１７０は、マイクでもよい。音声信号は、保存ユニット１５０に保存されるか、スピーカーユニット１８０に音声信号を音声に変換させて外部に流すか、制御ユニット１４０により決定される。スピーカーユニット１８０は、制御ユニット１４０に電気的に接続している。スピーカーユニット１８０は、スピーカーでもよい。
【００２５】
伝達ユニット１９０は、制御ユニット１４０に電気的に接続している。伝達ユニット１９０は、データ伝達ポート、映像出力端子または画像伝達端子でよく、外部のＵＳＢメモリー、ハードディスクまたは電子装置に接続して画像資料または音声資料の伝達を行なう。伝達ユニット１９０は、Ｗｉ-Ｆｉ伝達インターフェイス、ブルートゥース伝達インターフェイスまたはその他の無線伝達インターフェイスでよく、無線により画像資料または音声資料の伝達を行なう。
【００２６】
撮影録画機能を有する携帯型電子装置１０は、軸方向検出ユニット１９５をさらに含む。軸方向検出ユニット１９５は、制御ユニット１４０に電気的に接続し、カバー１４が本体１２に対する角度を検出し、検出結果を制御ユニット１４０に伝達する。本体１２とカバー１４との間の角度が０度の場合、操作インターフェイス１６０(ボタン１６２)により第２の映像取得モジュール１２０が起動され３Ｄ撮影が行なわれる際に、制御ユニット１４０がディスプレイユニット１３０を介してユーザーに第２の映像取得モジュール１２０を有するカバー１４を開いて被写体に向けるように注意を促す。
【００２７】
図５を参照する。図５は、本考案の第３の実施形態による撮影録画機能を有する携帯型電子装置を示す斜視図である。図５に示すように、本実施形態の撮影録画機能を有する携帯型電子装置２０は、上記の撮影録画機能を有する携帯型電子装置１０とほぼ同様であるため、以下において、異なる部分について説明を行なう。撮影録画機能を有する携帯型電子装置２０は、手で持つタイプの直立型デジタルビデオカムコーダーである。薄型で全体的な体積が小さいため、携帯にはさらに便利になっている。撮影録画機能を有する携帯型電子装置２０は、カバー２４が回転軸２６により本体２２に連接されている。本体２２は、第１の映像取得モジュール２１０を有し、カバー２４は、第２の映像取得モジュール２２０およびディスプレイユニット２３０を有する。第２の映像取得モジュール２２０およびディスプレイユニット２３０は、本体２２の同一側でも、反対側でも構わない。回転軸２６は、カバー２４を本体２２に対して二方向に自由に揺動することができる。第１に、カバー２４が本体２２に対して開いて角度を形成したり、閉まったりする揺動方向で、第２に、ディスプレイユニット２３０を有する側面が第１の映像取得モジュール２１０に対する相対的位置をカバー２４が回転軸２６により変化させる揺動方向である。
【００２８】
図６を参照する。図６は、本考案の第４の実施形態による撮影録画機能を有する携帯型電子装置を示す斜視図である。図６に示すように、本実施形態の撮影録画機能を有する携帯型電子装置３０は、上記の撮影録画機能を有する携帯型電子装置１０とほぼ同様であるため、以下において、異なる部分について説明を行なう。撮影録画機能を有する携帯型電子装置３０は、本体３２および本体３２上に重なるカバー３４が回転軸３６に連接し、カバー３４が回転軸３６により本体３２に対応するように揺動する。本体３２は、第１の映像取得モジュール３１０を有し、カバー３４は、二つの単焦点レンズ３２３を有する第２の映像取得モジュールおよびディスプレイユニット（図示せず）を含む。本実施形態において、第２の映像取得モジュールおよび表示ユニットは、カバー３４の反対側にそれぞれ設けられている。カバー３４は、回転軸３６により本体３２に対して軸方向に自由に揺動することができる。回転軸３６は、カバー３４を本体３２に対して揺動させる。
【００２９】
３Ｄ撮影を行なう際には、カバー３４を揺動させて二つの単焦点レンズ３２３を本体３２から露出させ、被写体に向けて撮影を行なう。３Ｄ撮影を行なわない場合、カバー３４が本体３２に重なる位置まで揺動されると、単焦点レンズ３２３が本体３２およびカバー３４の間に隠れるようになり、汚れるのを防ぐことができる。また、単焦点レンズ３２３は、カバー３４の本体３２を設けた側に配置されて、ユーザーが自分の映像を撮影し、映像通話を行なうことも可能とした。
【００３０】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００３１】
１０  撮影録画機能を有する携帯型電子装置
１２  本体
１４  カバー
１６  回転軸
２０  撮影録画機能を有する携帯型電子装置
２２  本体
２４  カバー
２６  回転軸
３０  撮影録画機能を有する携帯型電子装置
３２  本体
３４  カバー
３６  回転軸
１１０  第１の映像取得モジュール
１１２  ズームレンズ
１１４  第１の映像センサーユニット
１２０  第２の映像取得モジュール
１２２  ３Ｄ撮影ユニット
１２３  単焦点レンズ
１２４  第２の映像センサーユニット
１３０  ディスプレイユニット
１４０  制御ユニット
１５０  保存ユニット
１６０  操作インターフェイス
１６２  ボタン
１７０  集音ユニット
１８０  スピーカーユニット
１９０  伝達ユニット
１９５  軸方向検出ユニット
２１０  第１の映像取得モジュール
２２０  第２の映像取得モジュール
２３０  ディスプレイユニット
３１０  第１の映像取得モジュール
３２３  単焦点レンズ
Ｄ  配置距離
【図１】
0003169327.tif 000003
【図２】
0003169327.tif 000004
【図３】
0003169327.tif 000005
【図４】
0003169327.tif 000006
【図５】
0003169327.tif 000007
【図６】
0003169327.tif 000008
【手続補正書】
【提出日】平成23年5月25日(2011.5.25)
【手続補正１】
【補正対象書類名】実用新案登録請求の範囲
【補正対象項目名】全文
【補正方法】変更
【補正の内容】
【実用新案登録請求の範囲】
【請求項１】
本体と、
一方が前記本体に連接している回転軸と、
前記回転軸の前記本体に連接している側の反対側に連接し、少なくとも一つの軸方向に自由に揺動するカバーと、
前記本体上に設けられ、ズームレンズおよび第１の映像センサーユニットを有する第１の映像取得モジュールと、
前記カバー上に設けられ、３Ｄ撮影ユニットおよび少なくとも一つの第２の映像センサーユニットを有する第２の映像取得モジュールと、を含むことを特徴とする撮影録画機能を有する携帯型電子装置。
【請求項２】
前記３Ｄ撮影ユニットは、二つの単焦点レンズを有し、前記二つの単焦点レンズ間の配置距離が２〜７ｃｍであることを特徴とする請求項１に記載の撮影録画機能を有する携帯型電子装置。
【請求項３】
前記二つの単焦点レンズは、０〜５度の傾角を有することを特徴とする請求項２に記載の撮影録画機能を有する携帯型電子装置。
【請求項４】
前記傾角は、２〜５度であることを特徴とする請求項３に記載の撮影録画機能を有する携帯型電子装置。
【請求項５】
前記カバー上に設けられ、前記二つの単焦点レンズと同一側に位置するディスプレイユニットを、さらに含むことを特徴とする請求項２に記載の撮影録画機能を有する携帯型電子装置。
【請求項６】
前記カバー上に設けられ、前記二つの単焦点レンズの反対側に位置するディスプレイユニットを、さらに含むことを特徴とする請求項２に記載の撮影録画機能を有する携帯型電子装置。
【請求項７】
前記本体上に設けられ、前記第１の映像取得モジュールおよび前記第２の映像取得モジュールに電気的に接続し、前記第１の映像センサーユニットが伝達する第１の映像信号および前記第２の映像センサーユニットが伝達する第２の映像信号を受信する制御ユニットと、
前記制御ユニットに電気的に接続し、第１のデジタル映像信号および第２のデジタル映像信号を保存する保存ユニットと、  
前記制御ユニットに電気的に接続し、撮影録画機能を有する携帯型電子装置の操作および制御を行なう操作インターフェイスと、をさらに含むことを特徴とする請求項１に記載の撮影録画機能を有する携帯型電子装置。
【請求項８】
前記保存ユニットは、内部記憶体または差し込み可能なメモリーカードであることを特徴とする請求項７に記載の撮影録画機能を有する携帯型電子装置。
【請求項９】
前記操作インターフェイスは、タッチコントロールパネルのコントロールアイコンか、前記本体または前記カバーに設けられた複数のボタンであることを特徴とする請求項７に記載の撮影録画機能を有する携帯型電子装置。
【請求項１０】
前記制御ユニットに電気的に接続し、外部の音声を取得して音声信号に変換し、音声信号は前記制御ユニットを介して前記保存ユニットに保存する集音ユニットと、
前記制御ユニットに電気的に接続し、音声信号を音声に変換させて外部に流すスピーカーユニットを、さらに含むことを特徴とする請求項７に記載の撮影録画機能を有する携帯型電子装置。
【請求項１１】
前記制御ユニットに電気的に接続し、外部の電子装置に接続して画像資料または音声資料の伝達を行なう伝達ユニットを、さらに含むことを特徴とする請求項７に記載の撮影録画機能を有する携帯型電子装置。
【請求項１２】
前記伝達ユニットは、デジタルデータ伝達ポート、映像出力端子または画像伝達端子であることを特徴とする請求項１１に記載の撮影録画機能を有する携帯型電子装置。
【請求項１３】
前記伝達ユニットは、Ｗｉ-Ｆｉ伝達インターフェイス、ブルートゥース伝達インターフェイスまたはその他の無線伝達インターフェイスであることを特徴とする請求項１１に記載の撮影録画機能を有する携帯型電子装置。
【請求項１４】
前記制御ユニットに電気的に接続し、前記カバーが前記本体に対する角度を検出する軸方向検出ユニットを、さらに含むことを特徴とする請求項７に記載の撮影録画機能を有する携帯型電子装置。